【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
その価値が変動する貴金属の積立用の指定口座を管理する指定口座管理ホストとの間で双方向のデータ通信を行うとともに、前記指定口座管理ホスト又は所定の価値公表システムから当該時点での貴金属価値を表す貴金属価値データを取得するデータ通信手段と；
景品獲得の権利を有する権利者が獲得すべき当該景品の一部又は全部を、前記データ通信手段で取得した貴金属価値データに基づいて当該権利者が申し出た時点の貴金属価値に換算する価値換算手段と；
前記権利者からの貴金属積立依頼の受付を契機に、前記価値換算手段で換算された貴金属価値を持つ貴金属を当該権利者について用意されている前記指定口座へ積み立てることを内容とする積立要求データを生成するとともに、この積立要求データを前記データ通信手段を通じて前記指定口座管理ホストに送信することにより、当該指定口座管理ホストに、前記権利者が獲得した貴金属を積み立てるための情報処理を行わせる積立管理手段と；
を備えてなる貴金属景品管理システム。
【請求項２】
前記景品が所定の遊技により前記権利者が得た遊技価値の代償として提供されるものであり、
前記権利者が得た遊技価値は、不揮発性の遊技価値貯蓄領域に数値データとして累積記録することが可能なものであり、
前記価値換算手段は、前記遊技価値貯蓄領域に累積記録されている数値データと前記貴金属価値データとの演算処理によって前記貴金属価値を算出するように構成されるものである、
請求項１記載の貴金属景品管理システム。
【請求項３】
前記データ通信手段を通じて取得した貴金属価値データを保持する貴金属価値データ保持手段と、
この貴金属価値データ保持手段に保持されているデータに基づいて貴金属価値データの変動状況を生成し、この変動状況を前記権利者に提示するための貴金属価値提示手段をさらに備えてなる、
請求項１記載の貴金属景品管理システム。
【請求項４】
前記権利者を前記遊技価値の累積記録及び貴金属の積立を可能にする通常会員として登録するとともに通常会員であることの証明情報を記録した通常会員情報記録媒体を発行する通常会員登録手段と；
前記通常会員を貴金属の処分を可能にする特別会員として登録するとともに特別会員であることの証明情報を記録した特別会員情報記録媒体を発行する特別会員登録手段と；をさらに備え、
前記積立管理手段は、
前記通常会員情報記録媒体又は前記特別会員情報記録媒体に記録されている証明情報の読み出しを条件として前記積立要求データを生成するように構成されている、
請求項１記載の貴金属景品管理システム。
【請求項５】
前記特別会員情報記録媒体には、前記指定口座に積み立てられている貴金属の決済時点での価値による電子決済処理を可能にする権限情報が記録されている、
請求項４記載の貴金属景品管理システム。
【請求項６】
前記特別会員情報記録媒体は、所定のプログラムコードとの協働によって、前記指定口座に積み立てられている貴金属の決済時点での価値による電子決済処理を可能にする決済手段を構築するＩＣチップを搭載した媒体である、
請求項４記載の貴金属景品管理システム。
【請求項７】
景品の提供に関わる情報処理を行う一又は複数の第１管理システムと、その価値が変動する貴金属の積立用の指定口座を管理する第２管理システムとを含み、
前記第１管理システムは、
前記第２管理システムとの間で双方向のデータ通信を行うとともに、前記第２管理システム又は所定の貴金属価値公表システムから当該時点での貴金属価値を表す貴金属価値データを周期的に取得するデータ通信手段と；
景品獲得の権利を有する権利者が獲得すべき当該景品の一部又は全部を、前記データ通信手段で取得した基金増価値データに基づいて当該権利者が申し出た時点の貴金属価値に換算する価値換算手段と；
前記権利者からの貴金属積立依頼の受付を契機に、前記価値換算手段で換算された貴金属価値を当該権利者について用意されている前記指定口座へ積み立てることを内容とする積立要求データを生成するとともに、この積立要求データを前記データ通信手段を通じて前記第２管理システムに送信することにより、当該第２管理システムに、前記権利者が獲得した貴金属積立を積み立てるための情報処理を行わせる積立管理手段と；を備えるものであり、
前記第２管理システムは、
前記一又は複数の第１管理システムとの間で双方向のデータ通信を行うデータ通信手段と；
貴金属を積み立てるための指定口座を前記権利者毎に設定する指定口座設定手段と；
いずれかの前記第１管理システムより受領した積立要求データに基づく指定口座への貴金属の積立に関する情報処理を行う積立管理手段と；
所定の権限情報を伴う貴金属の処分要求データの受領を契機に前記指定口座からの貴金属の処分に関わる情報処理を行う処分管理手段と；を備えるものである、
貴金属景品管理システム。
【請求項８】
前記第２管理システムは、前記指定口座設定手段が指定口座を設定する際に、貴金属積立用の第１権限情報と、この第１権限情報とは異なる貴金属処分用の第２権限情報とを発行するとともに、これらの権限情報を当該指定口座の識別情報と関連付けて所定の権限情報記録領域に記録しておき、
前記積立管理手段による認証の際に第１権限情報が読み出し可能になり、前記処分管理手段による認証の際に第２権限情報が読み出し可能になるように構成されている、
請求項７記載の貴金属景品管理システム。
【請求項９】
前記第２管理システムが、前記指定口座への貴金属積立又は前記指定口座からの貴金属処分に際して、積立又は処分した分の貴金属を流通させるための流通指示データを生成し、この流通指示データを、該当する貴金属流通機関に設置される情報処理システム宛に送信する流通管理手段；をさらに備えてなる、
請求項７記載の貴金属景品管理システム。
【請求項１０】
所定の遊技により権利者に遊技価値を提供する遊技場に設置されるシステムであって、
その価値が変動する貴金属の積立用の指定口座を管理する指定口座管理ホストとの間で双方向のデータ通信を行うとともに、前記指定口座管理ホスト又は所定の貴金属価値公表システムから当該時点での貴金属価値を表す貴金属価値データを周期的に取得するデータ通信手段と；
権利者が獲得した遊技価値を不揮発性の遊技価値貯蓄領域に遊戯者毎の数値データとして累積記録する遊技価値貯蓄手段と；
前記遊技価値貯蓄手段に累積記録されている遊技価値の一部又は全部を前記権利者による再遊技のために返却するとともに返却した分の遊技価値を前記遊技価値貯蓄領域より差し引く遊技価値返却手段と；
前記遊技価値貯蓄手段に累積記録されている遊技価値の一部又は全部を前記貴金属価値データに基づいて前記権利者が申し出た時点の貴金属価値に換算する価値換算手段と；
前記権利者からの貴金属積立依頼の受付を契機に、前記価値換算手段で換算された貴金属価値に対応する貴金属の積立要求データを生成するとともに、この積立要求データを前記データ通信手段を通じて前記指定口座管理ホストに送信することにより、当該指定口座管理ホストに、前記権利者が獲得した貴金属を積み立てるための情報処理を行わせる積立管理手段と；
を備えてなる遊技場管理システム。
【請求項１１】
一又は複数の遊技場の各々に設置される貴金属景品管理システムと、その価値が変動する貴金属の積立用の指定口座を管理する機関に設置される指定口座管理ホストと、貴金属を流通させる一又は複数の機関の各々に設置される流通管理システムとがデータ通信回線を通じて接続されるシステムにおいて実行される方法であって、
前記貴金属景品管理システムにおいて、遊技による景品獲得の権利を有する権利者が獲得すべき当該景品をその権利者が申し出た時点の貴金属価値に換算するとともに、換算した貴金属価値に対応する貴金属の積立要求データを生成し、この積立要求データを前記指定口座管理ホストに送信する段階と；
前記指定口座管理ホストにおいて、いずれかの貴金属景品管理システムより受信した前記積立要求データに基づいて前記権利者用に設定した指定口座に貴金属を積み立てるための情報処理を行う段階と；
前記流通管理システムにおいて、前記権利者が申し出た量の貴金属の返却要求データ又は売却要求データを生成し、生成した返却要求データ又は売却要求データを前記指定口座管理ホストに送信する段階と；
前記指定口座管理ホストにおいて、いずれかの流通管理システムより受信した前記返却要求データ又は売却要求データに基づいて前記指定口座から該当する価値分の貴金属を処分するための情報処理を行う段階と；
を有することを特徴とする、貴金属景品の管理方法。
【請求項１２】
一又は複数の遊技場の各々に設置される貴金属景品管理システムと、その価値が変動する貴金属の積立用の指定口座を管理する機関に設置される指定口座管理ホストと、貴金属価値に基づく電子決済処理を行う一又は複数の機関の各々に設置される決済管理システムとがデータ通信回線を通じて接続されるシステムにおいて実行される方法であって、
前記貴金属景品管理システムにおいて、遊技による景品獲得の権利を有する権利者が獲得すべき当該景品をその権利者が申し出た時点の貴金属価値に換算するとともに、換算した貴金属価値に対応する貴金属の積立要求データを生成し、この積立要求データを前記指定口座管理ホストに送信する段階と；
前記指定口座管理ホストにおいて、いずれかの貴金属景品管理システムより受領した前記積立要求データに基づいて前記権利者用に設定した指定口座に貴金属を積み立てるための情報処理を行う段階と；
前記決済管理システムにおいて、決済時点での価値に相当する量の貴金属の引き落とし要求データを生成し、生成した引き落とし要求データを前記指定口座管理ホストに送信する段階と；
前記指定口座管理ホストにおいて、いずれかの決済管理システムより受領した前記引き落とし要求データに基づいて前記指定口座から該当する量の貴金属を処分するための情報処理を行う段階と；
を有することを特徴とする、貴金属景品の管理方法。
【請求項１３】
前記指定口座管理ホストを、その運営主体が前記一又は複数の遊技場の各々の運営主体と異なる第三者機関に設置することを特徴とする、
請求項１１又は１２記載の管理方法。
【請求項１４】
前記指定口座管理ホストにおいて、貴金属積立用の第１権限情報と、貴金属処分用の第２権限情報とを権利者用の指定口座毎に設定しておき、前記貴金属景品管理システムには前記第１権限情報に基づく要求のみを許容することを特徴とする、
請求項１１又は１２記載の管理方法。
【請求項１５】
前記指定口座管理ホストを設置する機関に、前記指定口座に積み立てられている貴金属と略同重量の現物を保有し、前記指定口座からの貴金属の処分に際して、処分した貴金属と同重量の現物を流通可能にしておくことを特徴とする、
請求項１１又は１２記載の管理方法。
【請求項１６】
その価値が変動する貴金属の積立用の指定口座を管理する指定口座管理ホストとの間で双方向のデータ通信を行うとともに、前記指定口座管理ホスト又は所定の貴金属価値公表システムから当該時点での貴金属価値を表す貴金属価値データを周期的に取得するデータ通信手段を備えたコンピュータ又はコンピュータシステムに、
景品獲得の権利を有する権利者が獲得すべき当該景品の一部又は全部を前記貴金属価値データに基づいて権利者が申し出た時点の貴金属価値に換算するための情報処理；
前記権利者からの貴金属積立依頼の受付を契機に、換算された貴金属価値に対応する貴金属の積立要求データを生成するとともに、この積立要求データを前記データ通信手段を通じて前記指定口座管理ホストに送信することにより、当該指定口座管理ホストに、前記権利者が獲得した貴金属を積み立てるための情報処理；
を実行させるためのコンピュータプログラム。
【請求項１７】
一又は複数の遊技場の各々に設置される貴金属景品管理システム、その価値が変動する貴金属を流通させる一又は複数の機関の各々に設置される流通管理システム、及び、貴金属価値に基づく電子決済処理を行う一又は複数の機関の各々に設置される決済管理システムとの間で双方向のデータ通信を行うデータ通信手段を備えたコンピュータ又はコンピュータシステムに、
いずれかの貴金属景品管理システムから、遊技により権利者が獲得した貴金属価値に対応する貴金属の積立要求データを受信したときにその積立要求データに基づいて前記権利者用に設定した指定口座に貴金属を積み立てるための情報処理；
いずれかの流通管理システムから、前記権利者が申し出た量の貴金属の返却要求データ又は売却要求データを受信したときにその返却要求データ又は売却要求データに基づいて前記指定口座から該当する価値分の貴金属を処分するための情報処理；
いずれかの決済管理システムから、決済時点での価値に相当する量の貴金属価値の引き落とし要求データを受信したときにその引き落とし要求データに基づいて前記指定口座から該当する量の貴金属を処分するための情報処理；
を実行させるためのコンピュータプログラム。
【手続補正２】
【補正対象書類名】明細書
【補正対象項目名】０００９
【補正方法】変更
【補正の内容】
【０００９】
第１の貴金属景品管理システムは、その価値が変動する貴金属の積立用の指定口座を管理する指定口座管理ホストとの間で双方向のデータ通信を行うとともに、前記指定口座管理ホスト又は所定の価値公表システムから当該時点での貴金属価値を表す貴金属価値データを取得するデータ通信手段と；景品獲得の権利を有する権利者が獲得すべき当該景品の一部又は全部を、前記データ通信手段で取得した貴金属価値データに基づいて当該権利者が申し出た時点の貴金属価値に換算する価値換算手段と；前記権利者からの貴金属積立依頼の受付を契機に、前記価値換算手段で換算された貴金属価値を持つ貴金属を当該権利者について用意されている前記指定口座へ積み立てることを内容とする積立要求データを生成するとともに、この積立要求データを前記データ通信手段を通じて前記指定口座管理ホストに送信することにより、当該指定口座管理ホストに、前記権利者が獲得した貴金属を積み立てるための情報処理を行わせる積立管理手段と；を備えたものである。
【手続補正３】
【補正対象書類名】明細書
【補正対象項目名】００１３
【補正方法】変更
【補正の内容】
【００１３】
本発明の第２の貴金属景品管理システムは、景品の提供に関わる情報処理を行う一又は複数の第１管理システムと、その価値が変動する貴金属の積立用の指定口座を管理する第２管理システムとを含んで構成される。
このような貴金属景品管理システムにおいて、前記第１管理システムは、前記第２管理システムとの間で双方向のデータ通信を行うとともに、前記第２管理システム又は所定の貴金属価値公表システムから当該時点での貴金属価値を表す貴金属価値データを周期的に取得するデータ通信手段と；景品獲得の権利を有する権利者が獲得すべき当該景品の一部又は全部を、前記データ通信手段で取得した基金増価値データに基づいて当該権利者が申し出た時点の貴金属価値に換算する価値換算手段と；前記権利者からの貴金属積立依頼の受付を契機に、前記価値換算手段で換算された貴金属価値を当該権利者について用意されている前記指定口座へ積み立てることを内容とする積立要求データを生成するとともに、この積立要求データを前記データ通信手段を通じて前記第２管理システムに送信することにより、当該第２管理システムに、前記権利者が獲得した貴金属積立を積み立てるための情報処理を行わせる積立管理手段と；を備えるものである。
また前記第２管理システムは、前記一又は複数の第１管理システムとの間で双方向のデータ通信を行うデータ通信手段と；貴金属を積み立てるための指定口座を前記権利者毎に設定する指定口座設定手段と；いずれかの前記第１管理システムより受領した積立要求データに基づく指定口座への貴金属の積立に関する情報処理を行う積立管理手段と；所定の権限情報を伴う貴金属の処分要求データの受領を契機に前記指定口座からの貴金属の処分に関わる情報処理を行う処分管理手段と；を備えるものである。
【手続補正４】
【補正対象書類名】明細書
【補正対象項目名】００１６
【補正方法】変更
【補正の内容】
【００１６】
本発明の遊技場管理システムは、所定の遊技により権利者に遊技価値を提供する遊技場に設置されるシステムであって、その価値が変動する貴金属の積立用の指定口座を管理する指定口座管理ホストとの間で双方向のデータ通信を行うとともに、前記指定口座管理ホスト又は所定の貴金属価値公表システムから当該時点での貴金属価値を表す貴金属価値データを周期的に取得するデータ通信手段と；権利者が獲得した遊技価値を不揮発性の遊技価値貯蓄領域に遊戯者毎の数値データとして累積記録する遊技価値貯蓄手段と；前記遊技価値貯蓄手段に累積記録されている遊技価値の一部又は全部を前記権利者による再遊技のために返却するとともに返却した分の遊技価値を前記遊技価値貯蓄領域より差し引く遊技価値返却手段と；前記遊技価値貯蓄手段に累積記録されている遊技価値の一部又は全部を前記貴金属価値データに基づいて前記権利者が申し出た時点の貴金属価値に換算する価値換算手段と；前記権利者からの貴金属積立依頼の受付を契機に、前記価値換算手段で換算された貴金属価値に対応する貴金属の積立要求データを生成するとともに、この積立要求データを前記データ通信手段を通じて前記指定口座管理ホストに送信することにより、当該指定口座管理ホストに、前記権利者が獲得した貴金属を積み立てるための情報処理を行わせる積立管理手段と；を備えてなるものである。
【手続補正５】
【補正対象書類名】明細書
【補正対象項目名】００１７
【補正方法】変更
【補正の内容】
【００１７】
本発明の貴金属景品の管理方法もまた、少なくとも二つの形態がある。
第１形態の管理方法は、一又は複数の遊技場の各々に設置される貴金属景品管理システムと、その価値が変動する貴金属の積立用の指定口座を管理する機関に設置される指定口座管理ホストと、貴金属を流通させる一又は複数の機関の各々に設置される流通管理システムとがデータ通信回線を通じて接続されるシステムにおいて実行される方法であって、前記貴金属景品管理システムにおいて、遊技による景品獲得の権利を有する権利者が獲得すべき当該景品をその権利者が申し出た時点の貴金属価値に換算するとともに、換算した貴金属価値に対応する貴金属の積立要求データを生成し、この積立要求データを前記指定口座管理ホストに送信する段階と；前記指定口座管理ホストにおいて、いずれかの貴金属景品管理システムより受信した前記積立要求データに基づいて前記権利者用に設定した指定口座に貴金属を積み立てるための情報処理を行う段階と；前記流通管理システムにおいて、前記権利者が申し出た量の貴金属の返却要求データ又は売却要求データを生成し、生成した返却要求データ又は売却要求データを前記指定口座管理ホストに送信する段階と；前記指定口座管理ホストにおいて、いずれかの流通管理システムより受信した前記返却要求データ又は売却要求データに基づいて前記指定口座から該当する価値分の貴金属を処分するための情報処理を行う段階と；を有することを特徴とする。
【手続補正６】
【補正対象書類名】明細書
【補正対象項目名】００１８
【補正方法】変更
【補正の内容】
【００１８】
第２形態の管理方法は、一又は複数の遊技場の各々に設置される貴金属景品管理システムと、その価値が変動する貴金属の積立用の指定口座を管理する機関に設置される指定口座管理ホストと、貴金属価値に基づく電子決済処理を行う一又は複数の機関の各々に設置される決済管理システムとがデータ通信回線を通じて接続されるシステムにおいて実行される方法であって、
前記貴金属景品管理システムにおいて、遊技による景品獲得の権利を有する権利者が獲得すべき当該景品をその権利者が申し出た時点の貴金属価値に換算するとともに、換算した貴金属価値に対応する貴金属の積立要求データを生成し、この積立要求データを前記指定口座管理ホストに送信する段階と；
前記指定口座管理ホストにおいて、いずれかの貴金属景品管理システムより受領した前記積立要求データに基づいて前記権利者用に設定した指定口座に貴金属を積み立てるための情報処理を行う段階と；
前記決済管理システムにおいて、決済時点での価値に相当する量の貴金属の引き落とし要求データを生成し、生成した引き落とし要求データを前記指定口座管理ホストに送信する段階と；
前記指定口座管理ホストにおいて、いずれかの決済管理システムより受領した前記引き落とし要求データに基づいて前記指定口座から該当する量の貴金属を処分するための情報処理を行う段階と；
を有することを特徴とする、貴金属景品の管理方法。
【手続補正７】
【補正対象書類名】明細書
【補正対象項目名】００２１
【補正方法】変更
【補正の内容】
【００２１】
第１のコンピュータプログラムは、その価値が変動する貴金属の積立用の指定口座を管理する指定口座管理ホストとの間で双方向のデータ通信を行うとともに、前記指定口座管理ホスト又は所定の貴金属価値公表システムから当該時点での貴金属価値を表す貴金属価値データを周期的に取得するデータ通信手段を備えたコンピュータ又はコンピュータシステムに、景品獲得の権利を有する権利者が獲得すべき当該景品の一部又は全部を前記貴金属価値データに基づいて権利者が申し出た時点の貴金属価値に換算するための情報処理；前記権利者からの貴金属積立依頼の受付を契機に、換算された貴金属価値に対応する貴金属の積立要求データを生成するとともに、この積立要求データを前記データ通信手段を通じて前記指定口座管理ホストに送信することにより、当該指定口座管理ホストに、前記権利者が獲得した貴金属を積み立てるための情報処理；を実行させるためのコンピュータプログラムである。
【手続補正８】
【補正対象書類名】明細書
【補正対象項目名】００２２
【補正方法】変更
【補正の内容】
【００２２】
第２のコンピュータプログラムは、一又は複数の遊技場の各々に設置される貴金属景品管理システム、その価値が変動する貴金属を流通させる一又は複数の機関の各々に設置される流通管理システム、及び、貴金属価値に基づく電子決済処理を行う一又は複数の機関の各々に設置される決済管理システムとの間で双方向のデータ通信を行うデータ通信手段を備えたコンピュータ又はコンピュータシステムに、いずれかの貴金属景品管理システムから、遊技により権利者が獲得した貴金属価値に対応する貴金属の積立要求データを受信したときにその積立要求データに基づいて前記権利者用に設定した指定口座に貴金属を積み立てるための情報処理；いずれかの流通管理システムから、前記権利者が申し出た量の貴金属の返却要求データ又は売却要求データを受信したときにその返却要求データ又は売却要求データに基づいて前記指定口座から該当する価値分の貴金属を処分するための情報処理；いずれかの決済管理システムから、決済時点での価値に相当する量の貴金属価値の引き落とし要求データを受信したときにその引き落とし要求データに基づいて前記指定口座から該当する量の貴金属を処分するための情報処理；を実行させるためのコンピュータプログラムである。